(57)【要約】【課題】他の部材との重ね合わせた際の不具合を抑制することができる光学シートを提供する。【解決手段】光学シート３０は、本体部３５と、本体部上に並べられ、各々がその配列方向と交差する方向に線状に延びる複数の単位レンズ４０と、単位レンズ上に設けられた複数の突出部５０と、を有する。単位レンズは、本体部のシート面と平行に延びる稜線Ｌａを含む。突出部は、単位レンズの稜線の一部分を含む領域上に配置されている。本体部から最も離間した各突出部の最頂部５１は、当該突出部に対応する単位レンズの稜線と、前記単位レンズの配列方向において同一の位置に位置している。【選択図】図２
2010061028.tif 000002
【特許請求の範囲】
【請求項１】
シート状の本体部と、
前記本体部の一方の面に並べて配列された複数の単位レンズであって、各々がその配列方向と交差する方向に線状に延びる、複数の単位レンズと、
前記単位レンズ上に設けられ、前記本体部から離間する向きに前記単位レンズから突出する複数の突出部と、を備え、
各単位レンズは、前記本体部のシート面と平行に延びる稜線を含み、
前記突出部は、前記単位レンズの前記稜線の一部分を含む領域上に配置され、
前記本体部から最も離間した各突出部の最頂部は、当該突出部に対応する単位レンズの稜線と、前記単位レンズの配列方向において同一の位置に位置している
ことを特徴とする光学シート。
【請求項２】
各突出部は、対応する単位レンズの前記稜線をなす頂部から前記本体部にそれぞれ接続する両基端部までの範囲において当該単位レンズから膨出するようにして構成されている
ことを特徴とする請求項１に記載の光学シート。
【請求項３】
前記突出部の前記最頂部を横切る主切断面における前記突出部の外輪郭と、前記突出部が設けられていない位置を横切る主切断面における前記単位レンズの外輪郭と、は少なくとも部分的に同一形状を有する
ことを特徴とする請求項１または２に記載の光学シート。
【請求項４】
前記突出部は、前記本体部のシート面の法線方向から観察した場合に当該突出部に対応する単位レンズの稜線と同一線上に位置する稜線を有する
ことを特徴とする請求項１乃至３のいずれか一項に記載の光学シート。
【請求項５】
前記本体部のシート面の法線方向と前記単位レンズの稜線方向との両方に平行な断面であって、前記突出部の前記最頂部を横切る断面において、前記突出部の外輪郭は、前記本体部から最も離間した頂点を形成する角部を含む
ことを特徴とする請求項１乃至４のいずれか一項に記載の光学シート。
【請求項６】
前記本体部のシート面の法線方向と前記単位レンズの稜線方向との両方に平行な断面であって、前記突出部の最頂部を横切る断面において、前記突出部の外輪郭は二つの直線部を含み、この二つの直線部によって前記角部が画定されている
ことを特徴とする請求項５に記載の光学シート。
【請求項７】
前記本体部のシート面の法線方向と前記単位レンズの稜線方向との両方に平行な断面であって前記突出部の頂部を横切る断面において、前記突出部の前記二つの直線部のうちの一方は前記本体部のシート面に対して４５°以上９０°以下の角度をなし、前記突出部の前記二つの直線部のうちの他方は前記本体部のシート面に対して０°より大きく４５°未満の角度をなす
ことを特徴とする請求項６に記載の光学シート。
【請求項８】
一つの単位レンズ上に形成された突出部は、当該一つの単位レンズと隣り合う単位レンズ上に形成された突出部とは、前記単位レンズの長手方向において異なる位置に配置されている
ことを特徴とする請求項１乃至７のいずれか一項に記載の光学シート。
【請求項９】
光源と、
前記光源からの光を受ける請求項１乃至８のいずれか一項に記載の光学シートと、を備える
ことを特徴とする面光源装置。
【請求項１０】
前記光学シートは、前記単位レンズおよび前記突出部が設けられている側の面が発光面を構成するようにして、配置されている
ことを特徴とする請求項９に記載の面光源装置。
【請求項１１】
透過型表示部と、
前記透過型表示部に対向して配置された請求項９に記載の面光源装置と、を備える
ことを特徴とする透過型表示装置。
【請求項１２】
前記透過型表示部は、前記面光源装置と向き合う入光側面としての平滑面を有し、
前記面光源装置の光学シートは、前記突出部が前記透過型表示部の前記平滑面に当接するようにして、配置されている
ことを特徴とする請求項１１に記載の透過型表示装置。
【発明の詳細な説明】
【技術分野】
【０００１】
本発明は、光の進行方向を変化させる光学シートに係り、とりわけ、他の部材と重ね合わせた際の不具合を抑制することができる光学シートに関する。また、本発明は、このように有用な光学シートを有する面光源装置および透過型表示装置に関する。
【背景技術】
【０００２】
例えば、特許文献１や特許文献２に開示されているように、透過型表示装置に用いられる面光源装置には、光源と、光源からの光の進行方向を変化させるための多数の光学シート（光学フィルム）が組み込まれている。
【０００３】
通常、多数の光学シートの中には、光源からの光を拡散させて光源の像を隠す（目立たなくさせる）機能（光拡散機能）を有した光学シートや、光の出射方向と正面方向との間の角度（出射角度）が小さくなるように当該光の進行方向を変化させ、正面方向輝度を向上させる機能（集光機能）を有した光学シート等が、含まれる。
【０００４】
とりわけ、集光機能を有した光学シートとして、線状に延びる単位レンズ（単位光学要素）をその長手方向（通常、稜線方向と一致）に直交する方向に配列（いわゆるリニア配列）してなる光学シートが、広く用いられている。この光学シートの単位レンズは、その長手方向に直交する断面において、典型的には、三角形形状、楕円形状または円形状の断面形状を有している。したがって、単位レンズは、その長手方向に沿って延びる稜線を有するようになる。
【特許文献１】ＵＳＰ５，７７１，３２８
【特許文献２】特開平８−３０４６０８号公報
【発明の開示】
【発明が解決しようとする課題】
【０００５】
ところで、二枚の光学シートが重ね合わされることによって、あるいは、面光源装置の出光側面と透過型表示部の入光側面とが重ね合わされて光学的に密着一体化することによって、種々の不具合が生じてしまう。具体例として、二つの部材が重なり合っている領域に、光が光学的作用を及ぼされることなく当該領域を通過する現象（いわゆる「素抜け」）に起因した輝点が発生し得る。また、二つの部材が重なり合っている領域に、縞状の模様（いわゆる「ニュートンリング」のような模様）が発生し得る。さらに、二つの部材が重なり合っている領域に、液体が染み込んでいるかのように観察される染み模様が発生し得る。本件発明者らが鋭意研究を重ねたところ、このような不具合は、二つの部材が面接触する場合だけでなく、上述した光学シートの稜線を有した単位レンズが他の部材と接触する場合にも、生じていた。
【０００６】
従来、斯かる不具合を解消する為に、光学シートと透過型表示装置との間に光拡散シートを挿入して光を拡散させ、又可干渉性を低減させて、斯かる不具合を目立ち難くしていた。ところが、近年、画像表示装置の薄型化、低価格化の為、該光拡散シートを省略した状態で斯かる不具合を解消することが望まれるようになった。
【０００７】
此の目的に適合するものとして、特許文献１に開示された光学シートが知られている。この光学シートにおいては、一部の単位レンズの高さが、他の単位レンズの高さよりも高くなっている。したがって、特許文献１の光学シートは、高さが高くなっている単位レンズのみを介し、隣接する他の部材と接触するようになる。特許文献１の光学シートでは、このようにして他の部材との接触領域を小面積化し、接触による不具合を目立たなくさせるようになっている。しかしながら、光学シートが単位レンズの稜線を介して他の部材と線状に接触している場合にも、接触による不具合が生じ得ることからして、特許文献１に開示された発明では、不具合の発生を本質的に防止することを期待することができない。
【０００８】
また、特許文献２に開示された光学シートでは、単位レンズが高さ方向に連続的に緩やかにうねっている。したがって、この光学シートは、単位レンズの高さが高くなっている領域のみを介し、隣接する他の部材と接触するようになる。特許文献２の光学シートでは、このようにして他の部材との接触領域を小面積化し、接触による不具合を目立たなくさせるようになっている。しかしながら、特許文献２の光学シートにおいて、単位レンズの高さの変化は極めて緩やかである。したがって、特許文献２の光学シートと隣接する他の部材との接触領域を十分に小さくすることができない。また、例えば吸湿や熱膨張等に起因して光学シートが変形して光学シートと隣接する他の部材との接触圧力が増加した場合には、特許文献２の光学シートと隣接する他の部材との接触領域も大面積化してしまう。これらのことから、上述した接触による不具合を十分に目立たなくさせることができない。
【０００９】
本発明は、このような点を考慮してなされたものであり、稜線を有した単位レンズを含む光学シートであって、他の部材との重ね合わせた際の不具合を抑制することができる光学シートを提供することを目的とする。また、本発明は、このような光学シートを有する面光源装置および透過型表示装置を提供することを目的とする。
【課題を解決するための手段】
【００１０】
本発明による光学シートは、シート状の本体部と、前記本体部の一方の面に並べて配列された複数の単位レンズであって、各々がその配列方向と交差する方向に線状に延びる、複数の単位レンズと、前記単位レンズ上に設けられ、前記本体部から離間する向きに前記単位レンズから突出する複数の突出部と、を備え、各単位レンズは、前記本体部のシート面と平行に延びる稜線を含み、前記突出部は、前記単位レンズの前記稜線の一部分を含む領域上に配置され、前記本体部から最も離間した各突出部の最頂部は、当該突出部に対応する単位レンズの稜線と、前記単位レンズの配列方向において同一の位置に位置していることを特徴とする。
【００１１】
本発明による光学シートにおいて、各突出部は、対応する単位レンズの前記稜線をなす頂部から前記本体部にそれぞれ接続する両基端部までの範囲において当該単位レンズから膨出するようにして構成されていてもよい。
【００１２】
また、本発明による光学シートにおいて、前記突出部の前記最頂部を横切る主切断面における前記突出部の外輪郭と、前記突出部が設けられていない位置を横切る主切断面における前記単位レンズの外輪郭と、は少なくとも部分的に同一形状を有するようにしてもよい。
【００１３】
さらに、本発明による光学シートにおいて、前記突出部は、前記本体部のシート面の法線方向から観察した場合に当該突出部に対応する単位レンズの稜線と同一線上に位置する稜線を有するようにしてもよい。
【００１４】
さらに、本発明による光学シートにおいて、前記本体部のシート面の法線方向と前記単位レンズの稜線方向との両方に平行な断面であって、前記突出部の前記最頂部を横切る断面において、前記突出部の外輪郭は、前記本体部から最も離間した頂点を形成する角部を含むようにしてもよい。
【００１５】
さらに、このような本発明による光学シートにおいて、前記本体部のシート面の法線方向と前記単位レンズの稜線方向との両方に平行な断面であって、前記突出部の最頂部を横切る断面において、前記突出部の外輪郭は二つの直線部を含み、この二つの直線部によって前記角部が画定されていてもよい。この光学シートにおいて、前記本体部のシート面の法線方向と前記単位レンズの稜線方向との両方に平行な断面であって前記突出部の頂部を横切る断面において、前記突出部の前記二つの直線部のうちの一方は前記本体部のシート面に対して４５°以上９０°以下の角度をなし、前記突出部の前記二つの直線部のうちの他方は前記本体部のシート面に対して０°より大きく４５°未満の角度をなすようにしてもよい。
【００１６】
さらに、本発明による光学シートにおいて、一つの単位レンズ上に形成された突出部は、当該一つの単位レンズと隣り合う単位レンズ上に形成された突出部とは、前記単位レンズの長手方向において異なる位置に配置されていてもよい。
【００１７】
本発明による面光源装置は、光源と、前記光源からの光を受ける上述したいずれかの本発明による光学シートと、を備えることを特徴とする。
【００１８】
本発明による面光源装置において、前記光学シートは、前記単位レンズおよび前記突出部が設けられている側の面が発光面を構成するようにして、配置されていてもよい。
【００１９】
本発明による透過型表示装置は、透過型表示部と、前記透過型表示部に対向して配置された前記の面光源装置と、を備えることを特徴とする。
【００２０】
本発明による透過型表示装置において、前記透過型表示部は、前記面光源装置と向き合う入光側面としての平滑面を有し、前記面光源装置の光学シートは、前記突出部が前記透過型表示部の前記平滑面に当接するようにして、配置されていてもよい。
【００２１】
本発明による型の製造方法は、上述したいずれかの本発明による光学シートを賦型により作製するための型を製造する方法であって、円筒状または円柱状からなる基材をその中心軸線を中心として回転させながら、前記中心軸線に直交する方向にバイトを移動させて、前記バイトを第１位置まで前記基材内に切り込んでいく工程と、前記バイトが前記第１位置まで切り込んだ状態で、前記中心軸線を中心として前記基材を回転させ、前記単位レンズを賦型するための周状の溝を形成する工程と、前記第１位置よりも前記基材内に深く入り込む第２位置まで、前記基材の前記中心軸線に直交する方向にバイトを移動させていくとともに、前記バイトが前記第２位置まで到達すると、前記バイトの移動方向を逆転させて前記バイトを前記第１位置まで戻し、これにより、前記突出部を賦型するための凹部を前記溝内に形成する工程と、前記基材の前記中心軸線に直交する方向に前記バイトを移動させ、前記第１位置から前記基材の外方の位置まで前記バイトを移動させる工程と、を備え、前記基材の前記中心軸線と平行な方向に前記バイトを移動させた後に、上記各工程を繰り返して、前記凹部を有する前記溝を順次形成していくことを特徴とする。
【００２２】
本発明による型の製造方法の前記凹部を形成する工程において、前記凹部を構成する工程が、前記溝を形成する工程の途中に行われてもよい。例えば、前記バイトが前記第１位置まで基材内に切り込んで前記溝を形成する工程が開始された後、前記基材が一回転する間に、前記バイトが前記第１位置から前記第２位置まで切り込むとともに前記第２位置から前記第１位置まで戻ってくるようにしてもよい。
【００２３】
本発明による型の製造方法の前記凹部を形成する工程において、前記バイトを前記第１位置から前記第２位置まで移動させている間、および、前記バイトを前記第２位置から前記第１位置まで移動させている間の少なくともいずれか一方の間、前記基材の回転が停止していてもよい。
【発明を実施するための形態】
【００２４】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２５】
図１乃至図１０は本発明による一実施の形態を説明するための図である。このうち図１は透過型表示装置および面光源装置の概略構成を示す断面図であり、図２は光学シートの斜視図であり、図３は光学シートの上面図であり、図４は図３のＩＶ−ＩＶ線に沿った断面図であり、図５は図３のＶ−Ｖ線に沿った断面図である。
【００２６】
図１に示された透過型表示装置１０は、透過型表示部１５と、透過型表示部１５の背面側に配置され透過型表示部１５を背面側から面状に照らす面光源装置２０と、を備えている。透過型表示部１５は、例えば、液晶表示パネル（ＬＣＤパネル）から構成され、この場合、透過型表示装置１０は液晶表示装置として機能する。ここでＬＣＤパネルとは、ガラス等からなる一対の支持板と、支持板間に配置された液晶と、液晶分子の配向を一つの画素を形成する領域毎に電場によって制御する電極と、を有するパネルである。支持板間の液晶は、一つの画素を形成する領域毎にその配向を変化させられ得るようになっている。この結果、液晶表示パネル１５は、面光源装置２０からの光の透過または遮断を画素毎に制御するシャッターとして機能し、画像を形成するようになる。
【００２７】
本実施の形態において、透過型表示部１５の面光源装置２０に対向する入光側面は平滑面として形成され、且つ、透過型表示部１５と光学シート３０との間には光拡散シートは介在し無い構成となっている。なお、本明細書で用いる「平滑」とは、光学的な意味合いでの平滑を意味するものである。すなわち、ここでは、或る程度の割合の可視光が、光学シート３０の入光側面３１（本体部３５の他方の面３７）においてスネルの法則を満たしながら屈折するようになる程度を意味している。したがって、例えば、本体部３５の他方の面３７（光学シート３０の入光側面３１）の十点平均粗さＲｚ（ＪＩＳＢ０６０１）が最短の可視光波長（０．３８μｍ）以下となっていれば、十分、平滑に該当する。
【００２８】
次に、面光源装置２０について説明する。面光源装置２０は、図１に示すように、光源２５と、光源２５からの光の進行方向を偏向して当該光を透過させる光学シート３０と、を有している。本実施の形態において、光学シート３０は、面光源装置２０の最出光側に配置され、発光面（出光側面）３２を構成する。また、図１に示す例においては、光学シート３０の入光側に、光を拡散させる光拡散シート２８がさらに設けられている。面光源装置２０は、例えばエッジライト（サイドライト）型等の種々の形態で構成され得るが、本実施の形態においては、直下型のバックライトユニットとして構成されている。このため、光源２５は光学シート３０の入光側において光学シート３０と対面するようにして配置されている。また、光源２５は、光学シート３０の側に開口部（窓）を形成された箱状の反射板２２によって背面側から覆われている。
【００２９】
なお、「出光側」とは、進行方向を折り返されることなく光源２５から光学シート３０等を経て観察者へ向かう光の進行方向における下流側（観察者側、図１、図２、図４〜６においては上側）のことであり、「入光側」とは、進行方向を折り返されることなく光源２５から光学シート３０等を経て観察者へ向かう光の進行方向における上流側のことである。
【００３０】
また、本件において、「シート」、「フィルム」、「板」の用語は、呼称の違いのみに基づいて、互いから区別されるものではない。したがって、例えば、「シート」はフィルムや板とも呼ばれ得るような部材も含む概念である。
【００３１】
さらに、本件において「シート面（フィルム面、板面）」とは、対象となるシート状の部材を全体的かつ大局的に見た場合において対象となるシート状部材の平面方向と一致する面（凹凸面の場合は包絡面にも相当）のことを指す。そして、本実施の形態においては、光学シート３０のシート面、光拡散シート２８のシート面、面光源装置２０の発光面、および、透過型表示装置１０の表示面は、互いに平行となっている。さらに、本願において「正面方向」とは、光学シート３０のシート面に対する法線の方向ｎｄ（例えば図４参照）であり、また、面光源装置２０の発光面の法線方向等にも一致する。
【００３２】
光源２５は、例えば、線状の冷陰極管等の蛍光灯や、点状のＬＥＤ（発光ダイオード）や白熱電球、面状のＥＬ（電場発光体）等の種々の態様で構成され得る。本実施の形態においては、図１に示すように、光源２５は、線状に延びる複数の冷陰極管を有している。反射板２２は、光源２５からの光を光学シート３０の側へ向けるための部材であり、反射板２２の少なくとも内側表面は、例えば金属等の高い反射率を有する材料からなっている。
【００３３】
次に、光拡散シート２８は、入射光を拡散させ、好ましくは入射光を等方拡散させ、光源２５の構成に応じた輝度ムラ（管ムラとも云う）を緩和し、輝度の面内分布を均一化させて光源２５の像を目立たなくさせるためのシート状部材である。このような光拡散シート２８として、基部と、基部内に分散され光拡散機能を有した光拡散性粒子と、を含むシートが用いられ得る。一例として、反射率の高い材料から光拡散性粒子を構成することにより、あるいは、基部をなす材料とは異なる屈折率を有する材料から光拡散性粒子を構成することにより、光拡散シート２８に、光拡散機能を付与することができる。
【００３４】
次に、光学シート３０について説明する。図２乃至図５に示すように、光学シート３０は、シート状の本体部３５と、シート状の本体部３５の一方の面３６上に並べて配列された多数の単位レンズ（単位光学要素、単位形状要素）４０と、を有している。また、本体部３５から離間する向きに突出する突出部５０が、単位レンズ４０上に設けられている。この光学シート３０は、入光側から入射した光の進行方向を変化させて出光側から出射させ、正面方向（法線方向）ｎｄの輝度を集中的に向上させる機能を有している。
【００３５】
本体部３５は、単位レンズ４０を支持するシート状部材として機能する。図２および図４に示すように、本実施の形態において、本体部３５の一方の面３６上には、単位レンズ４０が隙間をあけることなく並べられている。その一方で、図５に示すように、本実施の形態において、本体部３５は、前記一方の面３６に対向する他方の面３７として、光学シート３０の入光側面３１をなす平滑な面を有している。
【００３６】
尚、図２等では本体部３５と単位レンズ４０との間を破線で表示しているが、本体部３５上に後述の如き方法にて単位レンズ４０を別層として積層して両層が２層積層体と成った形態、及び、本体部３５表面に単位レンズ４０を賦形して両層が単層（1体）構成と成った形態の何れでも良い。
【００３７】
次に、単位レンズ４０について説明する。上述したように、単位レンズ４０は、本体部３５の一方の面３６上に並べて配列されている。図２および図３に示すように、単位レンズ４０は、単位レンズ４０の配列方向と交差する方向に線状に延びている（図３中の矢印参照）。本実施の形態においては、単位レンズ４０は直線状に延びている。また、単位レンズ４０の長手方向（直線状に延びている方向）は、本体部３５のシート面上において、単位レンズ４０の配列方向に直交していると共に単位レンズの稜線方向とも一致する。それ故、以降、長手方向と稜線方向とは同義語として用いるものとする。なお、図３に示すように、本実施の形態において、本体部３５のシート面の法線方向ｎｄから観察した場合に、単位レンズ４０の配列方向が各光源２５の長手方向ｄａと直交し、単位レンズ４０の長手方向が各光源２５の長手方向ｄａと平行になっている。
【００３８】
図４は、本体部３５のシート面の法線方向ｎｄおよび単位レンズ４０の配列方向の両方に平行な断面（主切断面とも呼ぶ）において、光学シート３０を示している。なお、図４に示された断面は、図３のＩＶ−ＩＶ線に沿った断面にも対応する。図４に示すように、本実施の形態において、各単位レンズ４０の断面形状は、出光側に突出する三角形形状となっている。すなわち、各単位レンズ４０はいわゆる三角柱から成る単位プリズムとして形成されている。とりわけ、本実施の形態においては、正面方向輝度を集中的に向上させるという観点から、主切断面における単位レンズ４０の断面形状が二等辺三角形形状であるとともに、等辺の間に位置する頂角が本体部３５の一方の面３６から出光側に突出するように、各単位レンズ４０が構成されている。
【００３９】
主切断面における単位レンズ４０の断面形状が三角形形状であることから、図４に示すように、主切断面における単位レンズ４０の外輪郭は、本体部３５の一方の面３６上の基端部４２から延び出す二つの直線部４３ａ，４３ｂを含むようになる。両直線部４３ａ，４３ｂは単位プリズム４０の稜線で交叉する２つの切子面（ｆａｃｅｔ）の断面に対応する。また、主切断面における単位レンズ４０の外輪郭は、二つの直線部４３ａ，４３ｂによって画定される角部をさらに含むようになる。角部は、二つの直線部４３ａ，４３ｂの交点からなり本体部３５から最も離間した頂部４１を形成する。頂部４１は単位プリズム４０の稜線の断面に対応する。
【００４０】
なお、本件明細書における「三角形形状」とは、厳密な意味での三角形形状のみでなく、製造技術における限界や成型時の誤差等を含む略三角形形状や、三角形形状と概ね同一の光学的機能を期待することが可能な略三角形形状などを含む。一具体例として、三角形形状は、三角形の頂点が丸くなっている形状等を含む。
【００４１】
同様に、本件明細書における「角部」とは、厳密な意味での角のみでなく、製造技術における限界や成型時の誤差等を含む略角等、以下において説明する角部の作用効果と概ね同一の作用効果を期待することが可能な形状等を含む。一具体例として、角部は、角形状の頂点が丸味を帯びている形状等を含む。
【００４２】
さらに、本件明細書に於いて、「レンズ」の語は球面当の曲面から構成される所謂狭義のレンズの他、平面から構成される所謂狭義のプリズム、及び、曲面と平面とで構成される光学素子を包含する広義の意味で用いる。
【００４３】
各単位レンズ４０は、主切断面において本体部３５から最も離間した頂部４１を繋ぎ合わせてなる稜線Ｌａを有する。図２および図３に示すように、本実施の形態において、各単位レンズ４０の主切断面における断面形状は、単位レンズ４０の長手方向に沿って一定となっている。したがって、各単位レンズ４０の稜線Ｌａは、本体部３５のシート面と平行に延びるとともに、単位レンズ４０の長手方向とも平行に延びている。また、複数の単位レンズは全て同様に構成されている。したがって、複数の単位レンズ４０の稜線Ｌａは、すべて、光学シート３０のシート面に平行な一つの平面内に位置するようになる。
【００４４】
以上のような構成からなる単位レンズ４０の具体例として、本体部３５の一方の面３６上での単位レンズ４０の配列方向に沿った、単位レンズ４０の底面の幅Ｗ（図４参照）を１μｍ〜２００μｍとすることができる。また、光学シート３０のシート面への法線方向ｎｄに沿った本体部３５の一方の面３６からの単位レンズ４０の突出高さＨ（図４参照）を０．２５μｍ〜５０μｍとすることができる。さらに、単位レンズ４０の断面形状が二等辺三角形状である場合には、正面方向輝度を集中的に向上させる観点から、等辺の間に位置するとともに出光側に突出する頂角の角度θａ（図４参照）が、８０°以上１１０°以下となっていることが好ましく、９０°であればさらに好ましい。
【００４５】
次に、突出部５０について説明する。上述したように、各突出部５０は、単位レンズ４０の稜線Ｌａの一部分を含む領域上に配置されている。そして、図４に示すように、本体部３５から最も離間した各突出部５０の最頂部５１は、当該突出部に対応する単位レンズ４０の稜線Ｌａ（これにともなって、単位レンズ４０の頂部４１）と、単位レンズの配列方向（の位置座標に於いて）において同一位置に位置している。まず、光学シート３０のシート面の法線方向ｎｄから観察した場合における（平面視における）突出部５０の配列について説明する。
【００４６】
図３に示すように、各突出部５０は、いずれかの単位レンズ４０に対応して形成されている。そして、複数の突出部５０は、長手方向に沿って、間隔をあけて配置されている。したがって、図３および図５に示すように、一つの単位レンズ４０上に複数の突出部５０が設けられている場合には、複数の突出部５０間に単位レンズ４０の稜線Ｌａが露出するようになる。なお、図５は、本体部３５のシート面の法線方向ｎｄおよび単位レンズ３５の長手方向（稜線方向）の両方に平行な断面（長手方向主切断面とも呼ぶ）において、光学シート３０を示している。
【００４７】
単位レンズ４０の長手方向における突出部５０の配列ピッチについては、特に制限はない。ただし、光学シート３０の突出部５０の側において光学シート３０と隣接する他の部材（本実施の形態においては、透過型表示部１５）が、光学シート３０の単位レンズ４０の稜線Ｌａに接触しないように、突出部５０の配列ピッチが適宜設定されることが好ましい。したがって、例えば、隣接する他の部材と単位レンズ４０の稜線Ｌａとの接触を回避することが可能であれば、各単位レンズ４０に突出部５０が一つだけ設けられるようにしてもよいし、あるいは、突出部５０が設けられていない単位レンズ４０が存在するようにしてもよい。
【００４８】
また、図３に示すように、一つの単位レンズ４０上に形成された突出部５０は、当該一つの単位レンズ４０と隣り合う単位レンズ上に形成された突出部５０とは、単位レンズ４０の長手方向において異なる位置に配置されている。すなわち、隣り合う単位レンズ４０上に形成された突出部５０は、単位レンズ４０の配列方向に並ばないように配置されている。このような配列によれば、透過型表示装置１０を遠目に観察した際に、突出部５０が連結して目立ってしまうことを防止することができる。
【００４９】
このような配列を実現するため、本実施の形態において、突出部５０は、光学シート３０のシート面上において、規則的に点在している。具体的な一例として、所定数の突出部５０が、一定ピッチではない特定の規則性を持った配列間隔で、同一の単位レンズ４０上に形成されていくようにしてもよい。このような方法によれば、別の単位レンズ４０上に形成された突出部５０が単位レンズ４０の配列方向に並んで配列されることを回避することが可能となることに加え、次の効果を期待することができる。多数の突出部５０は、光学シート３０のシート面上に一定間隔ではないように配列される。したがって、透過型表示部１５の画素配列と、突出部５０の配列との干渉に起因した縞模様（モアレ）の発生を回避することができる。また、予め突出部５０の配列の規則性を決定しておくことにより、後述するようにして光学シート３０を製造するための型７０を作製する際に、突出部５０を賦型するための凹部７６を機械加工により自動的で迅速に形成することができる。
【００５０】
なお、図５に示された例においては、連続する四つの突出部５０が一つの規則性を持つようにして、一つの単位レンズ４０上に多数の突出部５０が形成されている。一例として、単位レンズ４０の長手方向に沿った突出部５０の配列ピッチが、三つの異なる値Ｐ１，Ｐ２，Ｐ３を繰り返し取るように、突出部５０が配列され得る。図５に示す例においては、所定数の突出部５０の配列ピッチが等差数列をなすようになっている。ただし、これに限られず、突出部５０が、他の規則性を持って（例えば、配列ピッチの値が等比数列となるようにして）、一定ピッチ以外の配列ピッチで、一つの単位レンズ４０上に配列されるようにしてもよい。或は又、突出部５０の配列ピッチが乱数をなす樣に配列していても良い。
【００５１】
又、配列ピッチは、光学シート３０及び液晶表示パネル１５が多少撓んだとしても本願発明の效果を維持し得るようにする観点から、大きな方が良い。一方、目視において突出部５０が目立た無い為には小さいほうが良い。両者の兼ね合いから、これら配列ピッチＰ１，Ｐ２，Ｐ３等は、５０μｍ〜２００００μｍ程度の範囲とする。
【００５２】
次に、突出部５０の形状について説明する。図２および図４に示すように、突出部５０は、対応する単位レンズ４０の稜線Ｌａをなす頂部４１から本体部３５に接続するそれぞれの基端部４２までの範囲において、単位レンズ４０から膨出している。より詳細に説明すると、突出部５０は、単位レンズ４０の長手方向における一定区間に亘り、当該区間内における単位レンズ４０の頂部４１と基端部４２との間の全領域から、本体部３５から離間する向きへ、突出している。とりわけ、本実施の形態において、単位レンズ４０の長手方向における各位置において、突出部５０は、当該位置における単位レンズ４０の頂部４１と基端部４２との間の全領域に亘って、光学シート３０のシート面の法線方向ｎｄに一定の突出量で、単位レンズ４０から突出している。
【００５３】
したがって、図４に示すように、突出部５０の最頂部５１を横切る光学シート３０の主切断面における突出部５０の外輪郭と、突出部５０が設けられていない位置を横切る光学シート３０の主切断面における単位レンズ４０の外輪郭とは、少なくとも一部分において同一形状となっている。とりわけ本実施の形態においては、突出部５０の任意の位置を横切る光学シート３０の主切断面における突出部５０の外輪郭と、突出部５０が設けられていない位置を横切る光学シート３０の主切断面における単位レンズ４０の外輪郭とも、少なくとも一部分において同一形状となっている。すなわち、本実施の形態において、突出部５０を横切る光学シート３０の主切断面における突出部５０の外輪郭と、突出部５０が設けられていない位置を横切る光学シート３０の主切断面における単位レンズ４０の外輪郭とは、少なくとも部分的に平行となっている。さらに、本実施の形態においては、突出部５０を横切る光学シート３０の主切断面における突出部５０の外輪郭と、突出部５０が設けられていない位置を横切る光学シート３０の主切断面における単位レンズ４０の外輪郭とが、実質的に同一となっている。斯かる形態により、突出部５０の存在による単位レンズ４０の光学特性変化を最小限に抑えることができる。又、光学シートが撓んでも透過型表示部との間隙を保持し得る。
【００５４】
また、上述したように、主切断面における単位レンズ４０の断面形状は三角形形状であり、図４に示すように、主切断面における単位レンズ４０の外輪郭は、基端部４２から直線状に延び出す二つの線部４３ａ，４３ｂによって画定される角部を含んでいる。したがって、突出部５０を横切る光学シート３０の主切断面において、突出部５０の外輪郭も角部を含んでいる。この角部は、突出部５０の外輪郭をなす二つの線部５３ａ，５３ｂによって画定される。この二つの線部５３ａ，５３ｂは、単位レンズ４０の外輪郭における線部４３ａ，４３ｂとそれぞれ平行に直線状に延びている。そして、角部は、突出部５０の二つの線部５３ａ，５３ｂの交点として画定される点であって、当該光学シート３０の主切断面において本体部３５から最も離間する突出部５０の頂点を、形成するようになる。
【００５５】
このため、突出部５０の最頂部５１を横切る光学シート３０の主切断面においては、図４に示すように、突出部５０の外輪郭をなす二つの直線部５３ａ，５３ｂの交点によって、突出部５０の最頂部５１が画定されるようになっている。また、図４に示すように、突出部５０の最頂部５１を横切る光学シート３０の主切断面において、単位レンズ４０の外輪郭をなす二つの直線部４３ａ，４３ｂによって画定される角部（頂角）の角度θａと、突出部５０の外輪郭をなす二つの直線部５３ａ，５３ｂによって画定される角部（頂角）の角度θｂとは同じ角度となる。
【００５６】
さらに、上述したように、単位レンズ４０は単位レンズ４０の長手方向に延びる稜線Ｌａを有している。したがって、図３に示すように、突出部５０は、本体部３５のシート面の法線方向ｎｄから観察した場合に単位レンズ４０の長手方向と平行に延びる稜線Ｌｂを有するようになる。この突出部５０の稜線Ｌｂは、本体部３５のシート面の法線方向ｎｄから観察した場合に、当該突出部５０に対応する単位レンズ４０の稜線Ｌａと同一線上に位置する。
【００５７】
一方、本体部３５のシート面の法線方向ｎｄおよび単位レンズ４０の長手方向の両方に平行な断面、すなわち長手方向主切断面において、突出部５０の外輪郭は、二つの非平行な線部５５ａ，５５ｂを含んでいる。この二つの線部５５ａ，５５ｂが接続する位置に、角部が形成されている。また、二つの線部５５ａ，５５ｂの交点は、本体部３５から離間した頂点を形成している。すなわち、図５に示すように、突出部５０の最頂部５１を通過する長手方向主切断面においても、突出部５０の外輪郭は、本体部３５から最も離間した頂部５１を形成する角部を含んでいる。
【００５８】
なお、上述したように、突出部５０の最頂部５１を通過する主切断面（図４参照）においても、突出部５０の外輪郭は、角部に形成された頂点を含むようになる。したがって、図２の斜視図からも明らかなように、本実施の形態では、突出部５０の最頂部５１は、点として形成されている。
【００５９】
ところで、透過型表示部１５と光学シート３０との間隙を広範囲に亙って極力大きく保つことによって干渉縞、輝点等の不具合を防止する為、且つ、光学シート３０や透過型表示部１５が撓んでも透過型表示装置との間隙を極力保持する為には、理想的には、図５に示すように、突出部５０の最頂部５１を通過する光学シート３０の長手方向主切断面において、突出部５０の二つの線部５５ａ，５５ｂによって画定される角部（頂角）の角度θｃが鋭角となっていること、すなわち、角部（頂角）の角度θｃが９０°未満となっていることが好ましい。また、突出部５０の最頂部５１を通過する光学シート３０の長手方向主切断面において突出部５０の二つの線部５５ａ，５５ｂによってなされる角度θｃは、突出部５０の最頂部５１を通過する光学シート３０の主切断面において突出部５０の外輪郭をなす二つの線部５３ａ，５３ｂによってなされる頂角の角度θｂよりも小さくなっていることが好ましい。
【００６０】
さらに、突出部５０の最頂部５１を通過する光学シート３０の長手方向主切断面において、突出部５０の外輪郭をなす二つの線部５５ａ，５５ｂのうちの一方の線部５５ａと、光学シート３０のシート面と、によってなされる角度θｄが４５°以上９０°以下であり、突出部５０の外輪郭をなす二つの線部５５ａ，５５ｂのうちの他方の線部５５ｂと、光学シート３０のシート面と、によってなされる角度θｅが０°より大きく４５°未満であることが好ましい。本実施の形態においては、突出部５０の外輪郭をなす二つの線部５５ａ，５５ｂのうちの一方の線部５５ａと、光学シート３０のシート面と、によってなされる角度θｄが９０°となっている。
【００６１】
なお、この角度θｄが９０°である場合には、上述してきた本実施の形態の突出部５０は、図２の斜視図からも明らかであるように、法線方向に延び上がる急斜面５７ａと、第１面５７ａから単位レンズ４０の長手方向に延び出す一対の緩斜面５７ｂ１，５７ｂ２と、を含むようになる。一対の緩斜面５７ｂ１，５７ｂ２は、単位レンズ４０のレンズ面をなす二つ面のそれぞれを覆うように延びている。また、一対の緩斜面５７ｂ１，５７ｂ２の境界として、上述した突出部５０の稜線Ｌｂが形成されている。なお、角度θｄが９０°未満であれば、上述した斜面５７ａが一対の緩斜面となり、この一対の緩斜面の境界が突出部５０の稜線を形成するようになる。
【００６２】
同様に、角部θｄが９０°である場合には、突出部５０の最頂部５１を通過する長手方向主切断面において、突出部５０をなす二つの直線部５５ａ，５５ｂのうちの一方の直線部５５ａは、光学シート３０のシート面の法線方向ｎｄと平行に延びる。また、突出部５０の最頂部５１を通過する長手方向主切断面において、突出部５０をなす二つの直線部５５ａ，５５ｂのうちの他方の直線部５５ｂは、突出部５０の稜線Ｌｂからなる。
【００６３】
但し、斯かる形態は性能上は良好である為、性能面を優先させる場合は此の形態を採用するべきである。その一方で、生産性に於いては、難しく、不利な点が有る。即ち、通常、本発明の光学シートを製造するのに多用される方法に於いては、図８の如くの該単位プリズム及び突出部と同形状（但し、凹凸は逆）の成型用型を用い、図７の如くの成型方法で成型するのが代表的である。且つ、此の場合、上記で説明した図５の如き形状に対応する成型型を製造する場合、単位レンズ４０切削中に角部θｄが９０°で角度θｃが９０°未満の突出部５０を形成する時点で、一旦旋盤の回転を止めるか、極力減速するか、或は更に單位レンズ切削とは別のバイトに切替える必要が有る。
【００６４】
一方、生産性の方を重視するのであれば、単位レンズ４０切削中に突出部５０を形成する時点でも、旋盤の回転速度を単位レンズ切削時のままに維持して、而かも同バイトを用いてバイト切り込み（突出）量のみ突出させることが好ましい。其の場合は、実際的には、角部（頂角）θｃが９０°より大きく１８０°未満となる。但し、角度θｄが４５°以上９０°未満、角度θｅが０°より大きく４５°未満は容易に満たされる。
【００６５】
なお、上述したように、図示する例において、光学シート３０の主切断面における突出部５０の線部５３ａ，５３ｂ、および、光学シート３０の長手方向主切断面における突出部５０の線部５５ａ，５５ｂが直線状に形成されている例を示したが、これに限られない。角部を形成する線部のいずれか一以上が曲線からなっていてもよい。突出部の外輪郭をなす線部が曲線として形成されている場合には、角部の角度は、ともに角部を形成するようになる他の線部との交点の位置における当該曲線状線部への接線の傾きを用いて、特定され得る。
【００６６】
以上のような構成からなる突出部５０の具体例として、単位レンズ４０の稜線Ｌａから突出部５０までの光学シート３０の法線方向ｎｄに沿った最頂部５１の突出高さＨａ（図５参照）を１μｍ〜１５μｍとすることができる。また、単位レンズ４０の長手方向に沿った単位レンズ４０の長さＬ（図５参照）を１５μｍ〜２００μｍとすることができる。
【００６７】
上述したように、このような光学シート３０は面光源装置２０の最出光側に配置され、単位レンズ４０および突出部５０は本体部３５から出光側に突出している。したがって、突出部５０は、透過型表示部１５の平滑な入光側面に当接するようになる。
【００６８】
次に、以上のような構成からなる光学シート３０の製造方法の一例について説明する。
【００６９】
以上のような光学シート３０において、本体部３５と単位レンズ４０との間の界面において、透過光に対して積極的に光学的作用を及ぼす必要はない。また、単位レンズ４０と突出部５０との間の界面においては、透過光に対して積極的に光学的作用を及ぼさない方がよい。透過型表示装置１０において、突出部５０が視認されないようにするためである。したがって、図７に示すような成型装置６０を用いた賦型によって、同一の材料から光学シート３０の少なくとも単位レンズ４０及び突出部５０を一体的に形成することができる。なお、材料としては、成型性が良好であるとともに入手が容易であり、且つ優れた光透過性を有する樹脂、一例として、硬化物の屈折率が１．５７である透明な多官能ウレタンアクリレートオリゴマーとジペンタエリスリトールヘキサアクリレート系モノマーとの組成物の架橋硬化物が、好適に用いられる。
【００７０】
まず、成型装置６０について説明する。図７に示すように、成型装置６０は、略円柱状の外輪郭を有した成型用型７０を有している。円柱状成型用型７０の外周面（側面）に該当する部分に、円筒状の型面（凹凸面）７２が形成されている。円柱状からなる成型用型７０は、円柱の外周面の中心を通過する中心軸線ＣＡ、言い換えると、円柱の横断面の中心を通過する中心軸線ＣＡを有している。そして、成型用型７０は、中心軸線ＣＡを回転軸線として回転しながら（図７参照）、成型品としての光学シート３０を成型するロール型として構成されている。
【００７１】
図８に示すように、型面７２には、光学シート３０の単位レンズ４０を賦型するための多数の溝７４が形成されている。溝７４は、型面７２の中心軸線ＣＡを中心として円周状に延びており、中心軸線ＣＡと平行な方向に並べて配置されている。また、溝７４内には、突出部５０を賦型するための凹部７６が形成されている。
【００７２】
このような成型用型７０は、例えば、以下のようにして製造され得る。
【００７３】
まず、図９（ａ）に示すように、円筒状または円柱状からなる基材７１をその中心軸線ＣＡを中心として回転させながら、中心軸線ＣＡに直交する方向にバイト７８を移動させて、バイト７８を基材７１内に切り込ませる。このとき、バイト７８の刃先が第１位置ｘ１に到達するまで、バイト７８を基材７１内に切り込ませる。
【００７４】
次に、バイト７８の刃先が第１位置ｘ１まで切り込んだ状態で、中心軸線ＣＡを中心として基材７１を回転させる。これにより、図９（ｂ）に示すように、単位レンズ４０を賦型するための周状の溝７４が形成される。
【００７５】
その後、図９（ｃ）に示すように、中心軸線ＣＡに直交する方向に沿ってバイト７８を基材７１内にさらに切り込ませ、第１位置ｘ１よりも基材７１内に深く入り込んだ第２位置ｘ２までバイト７８の刃先を進める。そして、バイト７８の刃先が第２位置ｘ２まで到達すると、バイト７８の移動方向を逆向きに変更し、バイト７８の刃先が第1位置ｘ１まで戻す。これにより、溝７４内に凹部７６を形成することができる。
【００７６】
一つの溝７４に対して複数の凹部７６が形成される場合には、バイト７８の刃先が第１位置ｘ１まで戻ったところで、バイト７８の移動を停止する。その後、溝７４内の所望の位置に、上述した方法と同様の方法により、凹部７６をさらに形成していくことができ
る。
【００７７】
一方、凹部７６の形成が終了した場合には、図９（ｄ）に示すように、バイト７８の刃先が第１位置ｘ１から基材７１の外方の位置に到達するまで、基材７１の中心軸線ＣＡに直交する方向にバイト７８を移動させる。
【００７８】
その後、図９（ｅ）に示すように、基材７１の中心軸線ＣＡと平行な方向にバイト７８を移動させた後に、上記各工程を繰り返して、凹部７６を有する溝７４を基材７１の外周面上に多数形成していく。以上にようにして、成型用型７０を製造することができる。
【００７９】
このような型の製造方法によれば、同一のバイト７８を用いて、基材７１に対して溝７４および凹部７６を形成していくことができる。また、基材７１への加工を開始した後から型面７２が完成するまでの間、切削装置等の加工装置から基材７１を取り外す必要もない。さらに、溝７４の形成が開始された後から、当該溝内への凹部７６の形成が終了するまでの間、バイト７８は同一のものを用い、且つ、基材７１の中心軸線と平行な方向には移動しない。これらのことから、各溝７４に対して凹部７６を精度良く、且つ、高い生産効率にて形成していくことができる。
【００８０】
なお、図５に示す如くの角部θｄが９０°で角度θｃが９０°未満の突出部５０を形成する場合には、上述した構成の突出部５０を有する光学シート３０を賦型するための型を製造する場合には、溝７４内に凹部７６を形成する工程において、中心軸線ＣＡを中心とした基材７１の回転を停止させておくことが好ましい。基材７１の回転を停止させている場合、図１０に示すように、バイト７８が中心軸線ＣＡへ向けて基材７１内に切り込み、バイト７８の刃面７８ａおよび逃げ面７８ｂによる押し込みよって、凹部７６が形成されるようになる。このような方法によれば、形成されていく凹部７６は、バイト７８の先端部分の形状に対応した形状を安定して有するようになる。また、このようにして形成された型７０によれば、上述したように、光学シート３０のシート面の法線方向ｎｄに平行な（稜線Ｌａに垂直な）第１面５７ａを含む突出部５０を形成することが可能となる。但し、突出部５０を形成する度に旋盤の回転を停止させる為、生産効率は悪くなる。
【００８１】
若し、生産効率を優先させる場合には、旋盤は定速で回転させたままで、バイト７８の刃先が第１位置ｘ１から第２位置ｘ２まで進み、その後、第２位置ｘ２から第１位置ｘ１へ戻るように、バイト７８を移動させればよい。この場合には、角部（頂角）θｃが９０°より大きく１８０°未満、且つ、角度θｄが９０°未満となる光学シートを製造し得る型が作製される。本発明の光学特性上最適ではなくなるが、依然として十分には本発明の効果を奏することができる。また、極めて容易かつ安価に型を作製することができる。
【００８２】
次に、このような成型装置６０を用いて光学シート３０を作製する方法について説明する。まず、成型用基材供給装置６２から、例えば透明性を有した樹脂からなるシート材４８が供給される。供給されたシート材４８は、図７に示すように、成型用型７０へと送り込まれ、成型用型７０と一対のローラ６８とによって、型７０の凹凸面７２と対向するようにして保持されるようになる。尚、シート材４８の供給速度と成型用型７０表面の回転周速度とは一致するように同期させる。
【００８３】
また、図７に示すように、シート材４８の供給にともない、シート材４８と成型用型７０の型面７２との間に、材料供給装置６４から流動性を有する材料４９が供給される。このとき、型面７２上の全領域が材料４９によって覆われるように、材料４９が供給される。ここで、「流動性を有する」とは、成型用型７０の型面７２へ供給された材料４９が、型面７２の溝７４内および凹部７６内に入り込み得る程度の流動性を有することを意味する。なお、供給される材料４９としては、成型に用いられ得る種々の既知な材料を用いることができる。以下に示す例においては、材料供給装置６４から電離放射線硬化型樹脂が供給される例について説明する。電離放射線硬化型樹脂としては、例えば、紫外線（ＵＶ）を照射されることにより硬化するＵＶ硬化型樹脂や、電子線（ＥＢ）を照射されることによって硬化するＥＢ硬化型樹脂を選択することができる。
【００８４】
その後、成型用シート材４８は、型７０の型面７２との間を電離放射線硬化型樹脂によって満たされた状態で、硬化装置６６に対向する位置を通過する。このとき、硬化装置６６からは、電離放射線硬化型樹脂１９の硬化特性に応じた電離放射線が放射されており、電離放射線はシート材４８を透過して電離放射線硬化型樹脂４９に照射される。この結果、型面７２上の電離放射線硬化型樹脂が硬化して、硬化した電離放射線硬化型樹脂から、単位レンズ４０および突出部５０と、本体部３５の一方の面３６側の表層部と、がシート材４８上に形成されるようになる。
【００８５】
その後、図７に示すように、シート材４８が型７０から離間し、これにともなって、型面７２の凹部７４内に成型された単位レンズ４０および凹部７６内に形成された突出部５０がシート材４８とともに型７０から引き離される。この結果、上述した光学シート３０が得られる。
【００８６】
なお、上述したように、型面７２の溝７４が形成された全領域上に材料４９が延び渡り、シート材４８は型７０の表面に接触していない。この結果、作製された光学シート３０の本体部３５は、シート材４９とシート状に硬化した材料４８とから構成されるようになる。このような方法によれば、成型された単位レンズ４０が、離型時に、突出部５０とともに型７０内に部分的に残留してしまうことを効果的に防止することも可能となる。
【００８７】
以上のようにして、ロール型として構成された成型用型７０がその中心軸線ＣＡを中心として一回転している間に、流動性を有した材料４９を型７０内に供給する工程と、型７０内に供給された材料４９を型７０内で硬化させる工程と、硬化した材料４９を型７０から抜く工程と、が型７０の型面７２上において順次実施されていき、光学シート３０が得られる。
【００８８】
次に、以上のような光学シート３０、面光源装置２０および透過型表示装置１０の作用について説明する。
【００８９】
まず、透過型表示装置１０および面光源装置２０の全体的な作用について説明する。
【００９０】
光源２５で発光された光は、直接または反射板２２で反射した後に観察者側に進む。観察者側に進んだ光は、光拡散シート２８で等方拡散された後に、光学シート３０に入射する。
【００９１】
図６に示すように、光学シート３０の単位レンズ４０から出射する光Ｌ６１，Ｌ６２，Ｌ６３は、単位レンズ（単位形状要素）４０の出光側面（レンズ面）において屈折する。この屈折により、正面方向ｎｄから傾斜した方向に進む光Ｌ６１，Ｌ６２，Ｌ６３の進行方向（出射方向）は、主として、光学シート３０へ入射する際における光の進行方向と比較して、光学シート３０のシート面への法線方向ｎｄに対する角度が小さくなる側へ曲げられる。このような作用により、単位レンズ４０は、透過光の進行方向を正面方向ｎｄ側に絞り込むことができる。すなわち、単位レンズ４０は、透過光に対して集光作用を及ぼすようになる。
【００９２】
なお、このような単位レンズ４０の集光作用は、正面方向ｎｄから大きく傾斜して進む光に対して効果的に及ぼされる。このため、光学シート３０よりも光源側に配置された光拡散シート２８による拡散の程度にも依るが、光源２５から大きな入射角度で多くの光が入射するようになる傾向がある光源２５から離れた領域において、効果的に正面方向輝度を上昇させることができる（図６に於いて光Ｌ６１の経路を参照）。
【００９３】
その一方で、図６に示すように、正面方向ｎｄに対する進行方向の傾斜角度が小さい光Ｌ６４は、単位レンズ４０の出光側面（レンズ面）において全反射を繰り返し、その進行方向を入光側（光源側）へ転換する。特に、単位レンズ４０の（主切断面内に於ける）頂角が９０°乃至はその近傍の場合は、図示の如く再帰反射となる。このため、光学シート３０よりも光源側に配置された光拡散シート２８による拡散の程度にも依るが、光源２５から小さな入射角度で多くの光が入射するようになる傾向がある光源２５の直上位置において、輝度が高くなり過ぎることを防止することができる。
【００９４】
このように、光源２５からの離間距離に依存して透過光に対して単位レンズ４０から主として及ぼされる光学的作用が相違する。これにより、光源２５の発光部の配列に応じて発生する輝度ムラ（管ムラ）を効果的に低減し、光源の像（ライトイメージ）を目立たなくさせることもできる。すなわち、光学シート３０は、輝度の面内バラツキを均一化させる光拡散機能も有している。
【００９５】
なお、このような光拡散機能は、単位レンズ４０の配列方向と光源２５の発光管の配列方向とが平行となるように光学シート３０を配置することより、発揮されるようになる。
【００９６】
光学シート３０を出光した光は、その後、透過型表示部１５に入射する。透過型表示部１５は、面光源装置２０からの光を画素毎に選択的に透過させる。これにより、透過型表示装置１０の観察者が、映像を観察することができるようになる。
【００９７】
ところで、この光学シート３０が他の部材と重ね合わされて面光源装置２０および透過型表示装置１０を構成する場合、光学シート３０の単位レンズ４０と、光学シート３０に隣接する他の部材とが接触することにより、上述した不具合、例えば、染み模様やニュートンリングが生じてしまう虞がある。しかしながら、本実施の形態による光学シート３０によれば、以下に説明するようにして、光学シート３０が隣接する他の部材に接触することに起因した不具合を解消することが可能となる。
【００９８】
本実施の形態においては、上述したように、光学シート３０は、単位レンズ４０および突出部５０が設けられている側の面が面光源装置２０の発光面３２を構成するようにして、配置されている。そして、図１に示すように、光学シート３０の単位レンズ４０および突出部５０が設けられている側の面は、透過型表示部１５に対向して配置される。この結果、光学シート３０は、突出部５０を介し、光学シート３０に隣接する透過型表示面１５の入光側面に当接するようになる。
【００９９】
ここで単位レンズ４０から突出する突出部５０は、図２および図３によく示されているように、単位レンズ４０の稜線Ｌａの一部を含む領域上に配置されている。また、二つの突出部５０の間に単位レンズ４０の稜線Ｌａが露出するようにして、突出部５０は単位レンズ４０上に点在している。したがって、光学シート３０に隣接する他の部材（透過型表示部（ＬＣＤパネル）１５）の入光側面に、光学シート３０の単位レンズ４０が長い領域に亘って線状に密着してしまうことはない。加えて、単位レンズ４０が光学シート３０に隣接する他の部材（透過型表示部１５）に接触してしまうことを防止することも可能となる。
【０１００】
これらのことから、特定の単位レンズの高さを他の単位レンズの高さよりも高くした上述の従来の光学シート（例えば、特許文献１：ＵＳＰ５，７７１，３２８に開示された光学シート）が、高さの高い単位レンズを介して他の部材と接触する領域と比較して、本実施の形態で説明した光学シート３０が突出部５０を介して他の部材（透過型表示部１５）と接触するようになる領域を、格段に小さくすることができる。結果として、光学シート３０に隣接する他の部材（透過型表示部１５）に光学シート３０が接触することに起因した染み模様やニュートンリング等の不具合の発生を効果的に防止することができる。
【０１０１】
また、本実施の形態によれば、以下のようにして、光学シート３０と、この光学シート３０に隣接する他の部材と、の接触に起因して染み模様やニュートンリング等の不具合が生じてしまうことを、さらに効果的に防止することができる。
【０１０２】
上述したように、突出部５０は、本体部３５のシート面の法線方向ｎｄから観察した場合に単位レンズ４０の長手方向と平行に延びる稜線Ｌｂを有している。したがって、図４に示すように、単位レンズ４０の配列方向に沿った断面において、突出部５０は、光学シート３０に隣接する他の部材１５と実質的に点状に接触するようになる。すなわち、各突出部５０は、光学シート３０に隣接する他の部材１５と、点状領域、または、限られた長さの線状領域で接触することになり、光学シート３０が突出部５０を介して他の部材１５に接触する領域の大きさ（長さ及び面積）を小さくすることができる。これにより、光学シート３０に隣接する他の部材１５に光学シート３０が接触することに起因した不具合の発生を効果的に防止することができる。
【０１０３】
また、図５に示すように、突出部５０の最頂部５１を通過する長手方向主切断面において、突出部５０の外輪郭は、本体部３５から最も離間した頂点５１を形成する角部を含んでいる。このような本実施の形態によれば、図５に示すように、突出部５０の最頂部５１を横切り単位レンズ４０の長手方向に延びる断面において、突出部５０は、光学シート３０に隣接する他の部材（透過型表示部１５の平滑な入光側面）と実質的に点状に接触するようになる。すなわち、突出部５０は、光学シート３０に隣接する他の部材１５と、点状領域、または、限られた長さの線状領域で接触することになり、光学シート３０が突出部５０を介して他の部材１５に接触する領域の大きさを小さくすることができる。これにより、光学シート３０に隣接する他の部材に光学シート３０が接触することに起因した染み模様やニュートンリング等の不具合の発生を効果的に防止することができる。
【０１０４】
なお、単位レンズを緩やかにうねらせることによって単位レンズの高さを変化させている上述した従来の光学シート（特許文献２：特開平８−３０４６０８号公報に開示された光学シート）では、単位レンズの長手方向に延びる断面において、単位レンズの外輪郭は、本体部３５から最も離間した頂部を形成する角部を有していない。この従来の光学シートでは、単位レンズの長手方向に延びる断面において、単位レンズは弧状の外輪郭を有するようになり、本体部から最も離間した頂点は連続した曲線の一点として画定される。したがって、この従来の光学シートでは、頂点の周囲において、単位レンズの長手方向に沿った外輪郭が、本体部のシート面と略平行になる。このため、実際には、特許文献２の光学シートが単位レンズを介して他の部材と接触する領域の単位レンズの長手方向に沿った範囲（長さ及び面積）は、本実施の形態による光学シート３０が他の部材１５と接触する領域の単位レンズ４０の長手方向に沿った範囲と比較して、非常に大きくなっている。しかも、特許文献２の光学シートが単位レンズを介して他の部材と接触する領域の単位レンズの長手方向に沿った範囲（長さ）は、光学シートと他の部材との接触圧力に起因した単位レンズの撓み等の変形等に敏感に反応して、光学シートと他の部材との接触圧力の増加にともなって大きく（長く）なってしまう。
【０１０５】
このような特許文献２の光学シートに対し、本実施の形態の光学シート３０によれば、上述したように単位レンズ４０の長手方向に沿った突出部５０の外輪郭は、非平行な二つの線部５５ａ，５５ｂによって画定され、本体部３５から最も離間した頂点５１を形成する角部を含んでいる。このため、単位レンズ４０と隣接する他の部材１５との接触圧力に依存して、光学シート３０と光学シート３０に隣接する他の部材１５との接触領域の単位レンズ４０の長手方向に沿った長さは大きく変化しない。結果として、光学シート３０に隣接する他の部材１５に光学シート３０が接触することに起因した染み模様やニュートンリング等の不具合の発生を効果的に防止することができる。
【０１０６】
とりわけ、図５に示すように、突出部５０の最頂部５１を通過する長手方向主切断面において、角部（頂点）５１を画定する線部５５ａ，５５ｂが直線状に形成されている。また、図５に示すように、突出部５０の最頂部５１を通過する光学シート３０の長手方向主切断面において、突出部５０の二つの直線部５５ａ，５５ｂによって画定される角部の角度θｃが、本実施形態では、９０°未満となっている。これらの構成によれば、光学シート３０と光学シート３０に隣接する他の部材１５との接触領域の単位レンズ４０の長手方向に沿った範囲をより小さくすることができる。また、光学シート３０と光学シート３０に隣接する他の部材１５との間の接触圧力の増加にともなった、光学シート３０と他の部材１５との接触領域の単位レンズ４０の長手方向に沿った範囲の増加をより効果的に抑制することができる。結果として、光学シート３０に隣接する他の部材１５に光学シート３０が接触することに起因した不具合の発生をさらに効果的に防止することができる。
【０１０７】
さらに、図５に示すように、突出部５０の最頂部５１を通過する光学シート３０の長手方向主切断面において、突出部５０の外輪郭をなす二つの直線部５５ａ，５５ｂのうちの一方の直線部５５ａと、光学シート３０のシート面と、によってなされる角度θｄが４５°以上９０°以下であり、突出部５０の外輪郭をなす二つの直線部５５ａ，５５ｂのうちの他方の直線部５５ｂと、光学シート３０のシート面と、によってなされる角度θｅが０°より大きく４５°未満であることが有効である。
【０１０８】
このような態様によれば、突出部５０は急斜面５７ａと緩斜面５７ｂ１，５７ｂ２とを有するようになる。この構成によれば、本体部３５のシート面の法線方向ｎｄに付加される力に対する十分な剛性を突出部５０に付与することが可能となる。これにより、光学シート３０と光学シート３０に隣接する他の部材１５との間の接触圧力の増加にともなって、突出部５０が変形してしまうことを効果的に抑制することができる。加えて、突出部５０が急斜面５７ａを有するように構成されていることから、突出部５０の最頂部５１を横切る光学シート３０の長手方向主切断面において、突出部５０の頂点を形成する角部（頂角）の角度θｃを小さくすることができる。したがって、光学シート３０が突出部５０を介して隣接する他の部材１５と接触する領域を小さくすることができ、これにより、光学シート３０に隣接する他の部材１５に光学シート３０が接触することに起因した不具合の発生を効果的に防止することができる。とりわけ、図２および図５に示すように、本実施の形態においては、急斜面５７ａが本体部３５のシート面に対して９０°をなしているので、これらの作用効果が顕著となる。
【０１０９】
なお、単位レンズ４０と、光学シート３０に隣接する他の部材（透過型表示部１５）と、の間に突出部５０が介在すると、突出部５０が視認されるようになり、透過型表示装置１０に映し出される映像の画質を劣化させてしまう虞がある。
【０１１０】
しかしながら、複数の突出部５０は単位レンズ４０上に一定ではないピッチで点在している。したがって、透過型表示部１５の画素配列との干渉による縞模様（モアレ）の発生を効果的に防止することができる。また、各突出部５０は単位レンズ４０上の限られた範囲上のみに位置しており、これにより、突出部５０が視認され辛くすることができる。
【０１１１】
加えて、各突出部５０内で本体部３５から最も離間した最頂部５１が、当該突出部５０に対応する単位レンズ４０の稜線Ｌａと、単位レンズ４０の配列方向において同一の位置に位置するようにして、突出部５０が単位レンズ４０上に配置されている。このような突出部５０によれば、単位レンズ４０の頂部４１からの突出部５０の最頂部５１の突出高さＨａ（図５参照）を低減しながら、光学シート３０の単位レンズ４０と、光学シート３０に隣接する他の部材（透過型表示部１５）と、の間に十分な隙間を確保することができる。したがって、突出部５０の存在によって光学的な特異点が形成されてしまうことを効果的に抑制しながら、光学シート３０と隣接する他の部材との接触に起因した不具合を解消することができるようになっている。
【０１１２】
また、本実施の形態によれば、以下のようにして、光学シート３０と、光学シート３０に隣接する他の部材１５と、の間に配置された突出部５０の存在をさらに目立たなくさせることができる。
【０１１３】
上述したように、突出部５０は、対応する単位レンズ４０の稜線Ｌａをなす頂部４１から本体部３５にそれぞれ接続する両基端部４２までの範囲において当該単位レンズ４０から膨出するように、構成されている。さらに、突出部５０を横切る主切断面における突出部５０の外輪郭と、突出部５０が設けられていない位置を横切る主切断面における単位レンズ４０の外輪郭とは、少なくとも部分的に同一となっている。とりわけ、図４に示す例では、突出部５０を通る主切断面における突出部５０の外輪郭と、突出部５０を通らない主切断面における単位レンズ４０の外輪郭とが、平行に延びている。
【０１１４】
この結果、図６に示すように、単位レンズ４０を通過して光学シート３０から出射する光Ｌ６３に対して及ぼされる光学的作用と略同一の光学的作用を、突出部５０を通過して光学シート３０から出射する光Ｌ６４に対して及ぼすことが可能となる。より具体的には、突出部５０を通過して光学シート３０から出射する光Ｌ６４の出射角度は、単位レンズ４０を通過して光学シート３０から出射する光Ｌ６３の出射角度と同一となる。さらに、突出部５０を通過して出射する光Ｌ６４の光学シート３０からの出射位置は、単位レンズ４０を通過して出射する光Ｌ６３の光学シート３０からの出射位置と大きく異なることはない。これにより、単位レンズ４０から突出する突出部５０の存在に起因して光学的な特異点が形成されてしまうことが効果的に抑制され、突出部５０を目立たなくさせることができる。
【０１１５】
また、突出部５０は、本体部３５のシート面の法線方向ｎｄから観察した場合に、当該突出部３５に対応する単位レンズ４０の稜線Ｌａと同一線上に位置する稜線Ｌｂを有している。このような突出部５０によれば、単位レンズ４０から突出する突出部５０の存在に起因して光学的な特異点が形成されてしまうことを効果的に抑制し、突出部５０の存在を目立たなくさせることができる。
【０１１６】
さらに、図２および図５に示すように、突出部５０の表面を形成する急斜面５７ａが本体部３５のシート面に対して９０°をなしている。このような急斜面５７ａは、正面方向と平行であるため、透過型表示装置１０を正面方向ｎｄから観察した場合に目立たなくなる。これにより、単位レンズ４０から突出する突出部５０の存在を効果的に目立たなくさせることができる。
【０１１７】
なお、上述したように、突出部５０の最頂部５１を通過する光学シート３０の長手方向主切断面において突出部５０の二つの線部５５ａ，５５ｂによって画定され頂部５１を形成する角部の角度θｃ（図５参照）が、突出部５０の最頂部５１を通過する光学シート３０の主切断面において突出部５０の外輪郭をなす二つの線部５３ａ，５３ｂによって画定され頂部５１を形成する角部の角度θｂ（図４参照）よりも小さくなっていることが好ましい。
【０１１８】
このような光学シート３０によれば、光学シート３０と光学シート３０に隣接する他の部材１５との接触領域の単位レンズ４０の長手方向に沿った範囲を、光学シート３０と他の部材１５との接触領域の単位レンズ４０の配列方向に沿った範囲よりも小さくすることができる。また、単位レンズ４０と他の部材１５との間の接触圧力の増加にともなった、光学シート３０と他の部材１５との接触領域の単位レンズ４０の長手方向に沿った範囲の増加を、光学シート３０と他の部材１５との接触領域の単位レンズ４０の配列方向に沿った範囲の増加よりも小さくすることができる。
【０１１９】
すなわち、単位レンズ４０の配列方向に沿った断面における突出部５０の外輪郭を適宜設計したとしても、光学シート３０と他の部材１５との接触領域の単位レンズ４０の長手方向に沿った範囲を小さく抑えることによって、光学シート３０に隣接する他の部材１５に光学シート３０が接触することに起因した不具合の発生を効果的に防止することができる。このため、単位レンズ４０の配列方向に沿った断面における突出部５０の外輪郭を適宜設計することにより、突出部５０の存在に起因して光学的な特異点が形成されてしまうことを効果的に抑制しながら、同時に、光学シート３０に隣接する他の部材に光学シート３０が接触することに起因した不具合の発生を効果的に防止することができる。
【０１２０】
なお、以上の実施の形態に対して様々な変更を加えることが可能である。以下、変形の一例について説明する。
【０１２１】
上述した実施の形態における突出部５０の構成は、例示に過ぎない。したがって、突出部５０の構成を種々変更することができる。例えば、上述した実施の形態においては、突出部５０が主切断面において単位レンズ４０に対応した形状を有する例を示したが、これに限られない。例えば、図１１または図１２に示すように、主切断面における突出部５０の形状を変更してもよい。図１１に示された例および図１２に示された例の両方において、本体部３５から最も離間した突出部５０の最頂部は、当該突出部に対応する単位レンズ４０の稜線と、単位レンズ４０の配列方向において同一の位置となっている。また、図１２に示された例において、単位レンズ４０の配列方向における突出部５０の頂部は、点状ではなく、線状となっている。なお、図１１に示された例または図１２に示された例は、その他の点において、上述した実施の形態と略同様に構成することができ、ここではこれ以上の説明を省略する。
【０１２２】
また、上述した実施の形態において、長手方向主切断面における突出部５０の断面形状の一例を説明したが、長手方向主切断面における突出部５０の断面形状は上述した例に限られず、種々変更することが可能である。例えば、図１３に示すように、長手方向主切断面において突出部５０の外輪郭をなす二つの線部５５ａ，５５ｂのそれぞれと、光学シート３０のシート面と、によってなされる角度θｄ，θｅが同一となるようにしてもよい。すなわち、長手方向主切断面において突出部５０の外輪郭をなす二つの線部５５ａ，５５ｂは、同一角度で互いに異なる対称な方向に傾斜している。また、図１４に示すように、長手方向主切断面において突出部５０の外輪郭をなす二つの線部５５ａ，５５ｂの他方の線部５５ｂが、曲線として形成されていてもよい。図１４に示す例において、長手方向主切断面において、突出部５０の外輪郭をなす二つの線部５５ａ，５５ｂによって画定される角部の角度θｃは、略９０°なっている。上述したように、角度を特定するにあたり線部が曲線である場合には、曲線を二つの線部の交点における接線に置き換えて角度を特定すればよい。図１３に示された例または図１４に示された例は、その他の点において、上述した実施の形態と略同様に構成され得り、ここではこれ以上の説明を省略する。
【０１２３】
さらに、上述した実施の形態において、突出部５０の最頂部５１が点状に形成されている例を示したが、これに限られない。上述した図１２に示された例のように突出部５０の最頂部５１は、面状に形成されていてもよいし、あるいは、線状に形成されていてもよい。この場合でも、突出部５０の最頂部５１の長さ及び面積を十分小さく設定することにより、前記の効果を奏することが可能である。
【０１２４】
さらに、上述した実施の形態において、一枚の光学シート３０内に設けられた多数の突出部５０がすべて同一に形成されている例を示したが、これに限られず、一枚の光学シート３０内に異なる形状を有した突出部が含まれていてもよい。
【０１２５】
また、上述した実施の形態において、単位レンズ４０が断面三角形形状のプリズムとして構成されている例を示したが、これに限られない。例えば、単位レンズ４０の断面形状が、諸特性付与等の目的で、三角形形状に変調、変形を加えた形状であってもよい。具体例として、光学機能を適宜調整するために単位レンズ４０の断面形状が、図１５に示すように三角形のいずれか一以上の辺が折れ曲がった（屈曲した）形状、三角形のいずれか一以上の辺が湾曲した形状（所謂扇形）、三角形の頂点近傍を湾曲させて丸みを帯びさせた形状、三角形のいずれか一以上の辺に微小凹凸を付与した形状であってもよい。また、単位レンズ４０の断面形状が、三角形形状以外の形状、例えば台形等の四角形、五角形、或は六角形等の種々の多角形形状を有するようにしてもよい。また、単位レンズ４０が、断面において、円または楕円形状の一部分に相当する形状を有するようにしてもよい。
【０１２６】
さらに、上述した実施の形態において、光学シート３０の単位レンズ４０がすべて同一の構成を有する例を示したが、これに限られない。一枚の光学シート３０内に異なる形状を有した単位レンズが含まれていてもよい。
【０１２７】
なお、図１５においては、突出部の図示が省略されている。ただし、図１５に示された例は、単位レンズの形状以外に構成について、上述した実施の形態と同様に構成され得り、ここではこれ以上の説明を省略する。
【０１２８】
さらに、上述した実施の形態において、光学シート３０の製造方法の一例を説明したが、これに限られず、別の製造方法によって光学シート３０を製造してもよい。
【０１２９】
さらに、上述した実施の形態において、光学シート３０を賦型するための型７０を作製する方法の一例を説明したが、これに限られない。例えば、溝７４内に凹部７６を形成する際に基材７１の回転を停止させる例を示したが、これに限られない。例えば、バイト７８の刃先が第１位置ｘ１から第２位置ｘ２へ移動している間、および、バイト７８の刃先が第２位置ｘ２から第１位置ｘ１へ移動している間の少なくともいずれか一方の間に、基材７１を回転させるようにしてもよい。
【０１３０】
さらに、上述した実施の形態において、細長状の単位レンズ４０の配列方向と、細長状の光源２５の配列方向が、平行となっている例を示したが、これに限れない。細長状の単位レンズ４０の配列方向と、細長状の光源２５の配列方向が、交差していてもよく、一例として直交していてもよい。
【０１３１】
さらに、上述した実施の形態において、面光源装置２０の光源２５の発光部が、線状に延びる冷陰極管からなる例を示したが、これに限られない。光源２５として、点状のＬＥＤ（発光ダイオード）や面状のＥＬ（電場発光体）等からなる発光部を用いることも可能である。また、上述した実施の形態において、光学シート３０が直下型の面光源装置２０に適用されている例を示したが、これに限られない。上述した光学シート３０を、例えばエッジライト型（サイドライト型等とも呼ばれる）の面光源装置に適用することも可能であり、このような場合においても、光学シート３０は直下型の面光源装置２０に適用された場合と略同様の作用効果を奏することができる。
【０１３２】
さらに、上述した実施の形態において、光学シート３０が組み込まれた面光源装置２０および透過型表示装置１０の全体構成の一例を説明したが、これに限られない。例えば、輝度を向上させるための偏光分離フィルム等を、面光源装置２０および透過型表示装置１０にさらに組み込んでもよい。
【０１３３】
さらに、上述した実施の形態において、光学シート３０が面光源装置２０の最出光側に配置される例を示したが、これに限られない。また、光学シート３０の単位レンズ４０および突出部５０が、本体部３５の出光側に設けられている例を示したが、これに限れず、本体部３５の入光側に設けられていてもよい。このような変形例においても、上述した実施の形態と同様に、光学シート３０と、光学シート３０の単位レンズ４０および突出部５０が設けられている側に配置された他の部材と、の接触に起因した不具合を効果的に防止することができる。
【０１３４】
なお、以上において上述した実施の形態に対するいくつかの変形例を説明してきたが、当然に、複数の変形例を適宜組み合わせて適用することも可能である。
【実施例】
【０１３５】
以下、実施例を用いて本発明をより詳細に説明するが、本発明はこの実施例に限定されるものではない。
【０１３６】
実施例に係る透過型表示装置と、比較例に係る透過型表示装置と、を作製した。作製された透過型表示装置によって表示される映像の画質を評価した。以下、実施例に係る透過型表示装置および比較例に係る透過型表示装置の構成と、評価結果と、について説明する。
【０１３７】
〔実施例に係る表示装置〕
上記実施の形態において説明した透過型表示装置を実施例に係る透過型表示装置として作製した。
【０１３８】
透過型表示装置に組み込まれた透過型表示部は、市販されていた液晶テレビ（液晶表示装置）のＬＣＤパネルから構成した。また、面光源装置の光源、反射板および光拡散シートについても、市販されていた液晶テレビ（液晶表示装置）に組み込まれていた各要素を用いた。
【０１３９】
光学シートは、次の方法により作製した。まず、上記実施の形態で説明した成型用型の作製方法により、成型用型を作製した。次に、得られた成型用型を用い、上記実施の形態で説明した光学シートの製造方法により、光学シートを作製した。作製された光学シートは、上記実施の形態で説明した構成を有していた。例えば、本体部から最も離間した各突出部の最頂部は、当該突出部に対応する単位レンズの稜線と、単位レンズの配列方向において同一位置に位置していた。
【０１４０】
〔比較例に係る表示装置〕
比較例に係る表示装置は、実施例に係る透過型表示装置とは異なる光学シートを使用したが、その他については、実施例に係る透過型表示装置と同一に構成した。
【０１４１】
比較例に係る表示装置の光学シートにおいては、図１６に示すように、本体部から最も離間した各突出部の最頂部が、単位レンズの配列方向において、当該突出部に対応する単位レンズの稜線からずれた位置に位置していた。比較例に係る表示装置の光学シートは、その他について、実施例に係る表示装置の光学シートと同一に構成した。すなわち、比較例に係る表示装置の光学シートの本体部および単位レンズは、それぞれ、実施例に係る表示装置の光学シートの本体部および単位レンズと同一に構成した。また、比較例に係る表示装置の光学シートの突出部の外輪郭は、実施例に係る表示装置の光学シートの突出部の外輪郭と同一に構成した。
【０１４２】
比較例に係る表示装置の光学シートは、実施例に係る表示装置の光学シートと同様に、成型用型を用いた賦型により作製した。ただし、比較例に係る光学シートの作製に用いた成型用型においては、隣り合う二つの溝の間に凹部が形成されていた。このような成型用型は、次のようにして形成した。まず、円周状の溝を基材上に多数形成する。その後、基材の回転を停止した状態で、隣り合う二つの溝の間にバイトを押し込むことによって凹部を形成した。
【０１４３】
なお、比較例に係る光学シートを説明するための図１６において用いた符号は、上述した実施の形態の光学シートの対応する部分に対して用いた符号と同一にしている。
【０１４４】
〔評価１〕
実施例に係る透過型表示装置および比較例に係る透過型表示装置のそれぞれで全面白色を表示し、この状態で、染み模様やニュートンリング等の光学シートとＬＣＤパネルとの接触に起因した欠陥が視認されるか否かについて確認した。いずれの透過型表示装置においても、光学シートとＬＣＤパネルとの接触に起因いた欠陥は視認されなかった。
【０１４５】
〔評価２〕
また、実施例および比較例に係る透過型表示装置で全面白色を表示した状態で、突出部を設けたことに起因した欠陥が視認されるか否かについて確認した。実施例に係る透過型表示装置については、突出部を設けたことに起因した欠陥は視認されなかった。すなわち、突出部がどこに設けられているのかを目視で判断することができなかった。一方、比較例に係る透過型表示装置については、概ね突出部に対応する位置に輝点が視認された。
【図面の簡単な説明】
【０１４６】
【図１】図１は、本発明による一実施の形態を説明するための図であって、透過型表示装置および面光源装置の概略構成を示す断面図である。
【図２】図２は、図１の面光源装置に組み込まれた光学シートを示す斜視図である。
【図３】図３は、図２の光学シートを示す上面図である。
【図４】図４は、図３のＩＶ−ＩＶ線に沿った断面図である。
【図５】図５は、図３のＶ−Ｖ線に沿った断面図である。
【図６】図６は、図２の光学シートの作用を説明するための断面図である。
【図７】図７は、光学シートの製造方法および光学シートの成型装置を説明するための模式図である。
【図８】図８は、図７の成型装置に組み込まれた成型用型の型面を示す平面図である。
【図９】図９（ａ）〜図９（ｅ）は、図７の成型装置に組み込まれた成型用型の製造方方法を説明するための図である。
【図１０】図１０は、図９（ｃ）のＸ−Ｘ線に沿った断面図である。
【図１１】図１１は、図４に対応する断面図であって、突出部の変形例を説明するための図である。
【図１２】図１２は、図４に対応する断面図であって、突出部の他の変形例を説明するための図である。
【図１３】図１３は、図５に対応する断面図であって、突出部のさらに他の変形例を説明するための図である。
【図１４】図１４は、図５に対応する断面図であって、突出部のさらに他の変形例を説明するための図である。
【図１５】図１５は、図４に対応する図であって、単位レンズの変形例を説明するための図である。
【図１６】図１６は、比較例に係る透過型表示装置に組み込まれた光学シートを説明するための図であって、図４と同様に断面において比較例の光学シートを示す図である。
【符号の説明】
【０１４７】
１０  透過型表示装置
１５  透過型表示部
２０  面光源装置
２５  光源
３０  光学シート
３２  出光側面（発光面）
３５  本体部
３６  一方の面
４０  単位レンズ
４１  頂部
４２  基端部
４３ａ，４３ｂ  線部（直線部）
５０  突出部
５１  最頂部（頂部、頂点）
５３ａ，５３ｂ  線部（直線部）
５５ａ，５５ｂ  線部（直線部）
５７ａ  急斜面
５７ｂ１，５７ｂ２  緩斜面
【図１】
2010061028.tif 000003
【図２】
2010061028.tif 000004
【図３】
2010061028.tif 000005
【図４】
2010061028.tif 000006
【図５】
2010061028.tif 000007
【図６】
2010061028.tif 000008
【図７】
2010061028.tif 000009
【図８】
2010061028.tif 000010
【図９】
2010061028.tif 000011
【図１０】
2010061028.tif 000012
【図１１】
2010061028.tif 000013
【図１２】
2010061028.tif 000014
【図１３】
2010061028.tif 000015
【図１４】
2010061028.tif 000016
【図１５】
2010061028.tif 000017
【図１６】
2010061028.tif 000018